(57)【要約】【課題】撮影する画像を画像表示部上で認識するための視認性が高い撮影装置を提供する。【解決手段】被写体光の照射を受けて表示用画像信号を繰り返し生成するとともに撮影指示を受けて記録用画像信号を生成する撮像素子と、表示用画像信号に基づいて被写体輝度が所定の輝度レベル以上である第１の輝度範囲内にあるか、その輝度レベル未満である第２の輝度範囲内にあるかを判定する輝度判定部と、撮像素子で生成された表示用画像信号に階調処理を含む画像処理を施し、輝度判定部により被写体輝度が上記第２の輝度範囲内にあることが判定された場合には、撮像素子に生成された表示用画像信号に対して、表示される画像の性質を特徴づける表示用画質パラメータを変更する処理を行う表示用画像処理部と、表示用画像処理部で画像処理が施された後の表示用画像信号に基づくスルー画像を表示する画像表示部と、画像信号を記録する画像記録部とを備える。【選択図】        図４
2006101151.tif 000002
【特許請求の範囲】
【請求項１】
被写体を捉えた撮影により画像信号を生成する撮影装置において、
被写体光の照射を受けて表示用画像信号を繰り返し生成するとともに撮影指示を受けて
記録用画像信号を生成する撮像素子と、
前記表示用画像信号に基づいて被写体輝度が所定の輝度レベル以上である第１の輝度範囲内にあるか、該輝度レベル未満である第２の輝度範囲内にあるかを判定する輝度判定部と、
前記撮像素子で生成された表示用画像信号に階調処理を含む画像処理を施す表示用画像処理部と、
前記表示用画像処理部で画像処理が施された後の表示用画像信号に基づくスルー画像を表示する画像表示部と、
前記記録用画像信号を記録する画像記録部とを備え、
前記表示用画像処理部が、前記輝度判定部により被写体輝度が前記第２の輝度範囲内にあることが判定された場合には、前記撮像素子により生成された表示用画像信号に対して、表示される画像の性質を特徴づける表示用画質パラメータを変更する処理を行うものであることを特徴とする撮影装置。
【請求項２】
前記表示用画質パラメータを変更する処理は、被写体輝度が前記第１の輝度範囲内にある場合よりもγの大きな階調補正を施す処理であることを特徴とする請求項１記載の撮影装置。
【請求項３】
被写体を捉えた撮影により画像信号を生成する撮影装置において、
被写体光の照射を受けて表示用画像信号を繰り返し生成するとともに撮影指示を受けて
記録用画像信号を生成する撮像素子と、
前記表示用画像信号に基づいて被写体輝度が所定の輝度レベル以上である第１の輝度範囲内にあるか、該輝度レベル未満である第２の輝度範囲内にあるかを判定する輝度判定部と、
前記撮像素子で生成された表示用画像信号にノイズ低減用ローパスフィルタリング処理と所定の信号レベルの信号を得るための増幅処理とを含む画像処理を施す表示用画像処理部と、
前記表示用画像処理部で画像処理が施された後の表示用画像信号に基づくスルー画像を表示する画像表示部と、
前記記録用画像信号を記録する画像記録部とを備え、
前記表示用画像処理部が、前記輝度判定部により被写体輝度が前記第２の輝度範囲内にあることが判定された場合には、前記撮像素子により生成された表示用画像信号に、被写体輝度が前記第１の輝度範囲内にある場合よりも、カットオフ周波数の低いローパスフィルタリング処理を施すものであることを特徴とする撮影装置。
【発明の詳細な説明】
【技術分野】
【０００１】
本発明は、被写体を捉えた撮影により画像信号を生成する撮影装置に関する。
【背景技術】
【０００２】
近年、デジタルカメラを中心とする撮影装置や、このような撮影装置を構成する様々な素子に関する技術が急速に発展してきている。こうした撮影装置の中には、ＬＣＤ上に画像を表示する画像表示部を備え、撮影する画像を画像表示部上で確認できる機構を持つものもある。このような撮影装置では、暗い所での撮影など被写体輝度が低い状況で撮影を行う場合に、撮影する画像を画像表示部上で確認しにくいことがしばしば起きる。
【０００３】
こうした事態を避けるために、被写体輝度が低い場合には、モノクロ画像にすることによってノイズを抑制し、撮影する画像が鮮明に見えるようにする工夫（例えば、特許文献１、特許文献２参照）や、周囲が暗い状況での撮影では、画像表示部の発光光量を増加することによって撮影する画像が画像表示部上で鮮明に見えるようにする工夫（例えば、特許文献３参照）が提案されている。
【特許文献１】特開平５−９１４０２号公報
【特許文献２】特開平６−１４９４６１号公報
【特許文献３】特開２００１−１０９４３４号公報
【発明の開示】
【発明が解決しようとする課題】
【０００４】
しかしながら、特許文献３記載の画像表示部の発光光量を増加する方法では、被写体輝度そのものが低い場合には、撮影する画像を画像表示部上で確認できるほど視認性を向上させることは困難であり、また、特許文献１および特許文献２記載のモノクロ画像にする方法では、視認性が向上する効果が小さい。
【０００５】
本発明は、上記事情に鑑み、撮影する画像を画像表示部上で認識するための視認性が高い撮影装置を提供することを目的とする。
【課題を解決するための手段】
【０００６】
上記目的を達成するための本発明の撮影装置のうちの第一の撮影装置は、被写体を捉えた撮影により画像信号を生成する撮影装置において、
被写体光の照射を受けて表示用画像信号を繰り返し生成するとともに撮影指示を受けて
記録用画像信号を生成する撮像素子と、
上記表示用画像信号に基づいて被写体輝度が所定の輝度レベル以上である第１の輝度範囲内にあるか、該輝度レベル未満である第２の輝度範囲内にあるかを判定する輝度判定部と、
上記撮像素子で生成された表示用画像信号に階調処理を含む画像処理を施す表示用画像処理部と、
上記表示用画像処理部で画像処理が施された後の表示用画像信号に基づくスルー画像を表示する画像表示部と、
上記記録用画像信号を記録する画像記録部とを備え、
上記表示用画像処理部が、上記輝度判定部により被写体輝度が上記第２の輝度範囲内にあることが判定された場合には、上記撮像素子により生成された表示用画像信号に対して、表示される画像の性質を特徴づける表示用画質パラメータを変更する処理を行うものであることを特徴とする。
【０００７】
本発明の撮影装置のうちの第一の撮影装置は、被写体の輝度が所定の輝度レベル未満である場合は、所定の輝度レベル以上である場合とは異なる表示用画質パラメータを用いることにより、被写体の輝度が低い時の画像表示部上での視認性を高めることができる。
【０００８】
また、本発明の撮影装置のうちの第一の撮影装置は、上記表示用画質パラメータを変更する処理が、被写体輝度が上記第１の輝度範囲内にある場合よりもγの大きな階調補正を施す処理であるものでもよい。
【０００９】
本発明の撮影装置のうちの第一の撮影装置は、このような処理を施すことにより被写体の輝度が低い環境でも被写体の明るさを強調するように画像表示部上に被写体像を表示することができ、被写体の輝度が低い時の画像表示部上での視認性を、特許文献１および特許文献２の方法を適用した場合と比べ、より一層向上させることができる。
【００１０】
また、上記目的を達成するための本発明の撮影装置のうちの第二の撮影装置は、被写体を捉えた撮影により画像信号を生成する撮影装置において、
被写体光の照射を受けて表示用画像信号を繰り返し生成するとともに撮影指示を受けて
記録用画像信号を生成する撮像素子と、
上記表示用画像信号に基づいて被写体輝度が所定の輝度レベル以上である第１の輝度範囲内にあるか、該輝度レベル未満である第２の輝度範囲内にあるかを判定する輝度判定部と、
上記撮像素子で生成された表示用画像信号にノイズ低減用ローパスフィルタリング処理と所定の信号レベルの信号を得るための増幅処理とを含む画像処理を施す表示用画像処理部と、
上記表示用画像処理部で画像処理が施された後の表示用画像信号に基づくスルー画像を表示する画像表示部と、
上記記録用画像信号を記録する画像記録部とを備え、
上記表示用画像処理部が、上記輝度判定部により被写体輝度が上記第２の輝度範囲内にあることが判定された場合には、上記撮像素子により生成された表示用画像信号に、被写体輝度が上記第１の輝度範囲内にある場合よりも、カットオフ周波数の低いローパスフィルタリング処理を施すものであることを特徴とする。
【００１１】
本発明の撮影装置のうちの第二の撮影装置は、被写体の輝度が所定の輝度レベル未満である場合は、ノイズ低減のためにカットする周波数領域を拡大した上で所定の信号レベルの信号まで増幅する処理を行うため、被写体の輝度が低く分解能の差が目立ちにくい状況では、分解能を犠牲にする代わりにノイズを大きく低減させることにより、ノイズの小さい画像信号に絞って所定の信号レベルにまで増幅する処理を行うことになる。このため、特許文献１および特許文献２記載の方法のように色信号のレベルを下げることなく、視認性が向上する効果をより大きくすることができる。
【発明の効果】
【００１２】
本発明の撮影装置によれば、撮影する画像を画像表示部上で認識するための視認性を高くすることができる。
【発明を実施するための最良の形態】
【００１３】
以下、本発明の第一および第二の撮影装置の一実施形態を説明する。本実施形態の撮影装置は、撮影する被写体を画像モニタの一種であるＬＣＤ上に表示するデジタルカメラである。
【００１４】
図１は、本発明の撮影装置の一実施形態であるデジタルカメラを前面斜め上から見た外観斜視図であり、図２は、このデジタルカメラを背面斜め上から見た外観斜視図である。
【００１５】
図１に示すように、このデジタルカメラ１００の前面中央部には、撮影レンズ１０１が備えられている。また、このデジタルカメラ１００の前面上部には、光学式ファインダ対物窓１０２および補助光発光部１０３が備えられている。さらに、このデジタルカメラ１００の上面には、スライド式の電源スイッチ１０４およびレリーズスイッチ１５０が備えられている。さらに図２に示すように、このデジタルカメラ１００の背面には、光学式ファインダ接眼窓１０６と、メニュースイッチ１６０と、実行／画面切換スイッチ１７０と、ＬＣＤ１３０とが備えられている。
【００１６】
図３は、図１および図２に外観を示すデジタルカメラの概略構成図である。
【００１７】
図３に示すように本実施形態のデジタルカメラ１００の内訳は大きく分けて撮影光学系１１０と信号処理部１２０とに分かれる。これらに加えて、被写体像を表示するＬＣＤ１３０、およびその撮影した画像データを記録しておくための外部記録媒体１４０が備えられている。また撮影のための処理をデジタルカメラ１００に行なわせる、実行／画面切換スイッチ１７０、撮影モードスイッチ１６０、およびレリーズスイッチ１５０も設けられている。以下では、撮影光学系１１０と信号処理部１２０それぞれの説明を行った後、被写体像がスルー画像としてＬＣＤ１３０に表示される過程と、被写体が撮影が行われて外部記録媒体１４０に記録される過程について説明する。
【００１８】
まず撮影光学系１１０の構成を、図３を参照して説明する。本実施形態のデジタルカメラ１００では、図３の左方から被写体光が入射し、ズームレンズ１１５およびフォーカスレンズ１１４を経て、シャッタ１１２が開いている場合は、撮像素子としてのＣＣＤ１１１に結像する。本来撮影光学系には複数のレンズが配備され、それらの複数のレンズの中の少なくとも１つがピント調節に大きく関与し、それらの複数のレンズの相対位置が焦点距離に関与するが、この図３では、焦点距離の変化に係わるレンズをズームレンズ１１５として模式的に示しており、同じくピントの調節に係わるレンズをフォーカスレンズ１１４として模式的に示している。このズームレンズ１１５、フォーカスレンズ１１４はそれぞれ後述する信号処理部１２０からの信号に基づいて移動することが自在な構成になっていて、ズームレンズ１１５、フォーカスレンズ１１４とも信号処理部１２０からの信号に基づいて各位置に配置されるようになっている。このズームレンズ１１５、フォーカスレンズ１１４、およびシャッタ１１２は、ズームモータ１１５ａ、フォーカスモータ１１４ａ、およびシャッタモータ１１２ａによりそれぞれ駆動され移動する。これらズームモータ１１５ａ、フォーカスモータ１１４ａ、およびシャッタモータ１１２ａを作動させる指示は信号処理部１２０中のデジタル信号処理部１２０ｂからモータドライバ１２０ｃを通じて伝達される。
【００１９】
フォーカスレンズ１１４は、本実施形態のデジタルカメラ１００が有するＴＴＬＡＦ（Ｔｈｒｏｕｇｈ  Ｔｈｅ  Ｌｅｎｓ  Ａｕｔｏ  Ｆｏｃｕｓ）機能が作動したときに光軸方向に前後に移動するものであり、このＴＴＬＡＦ機能によりピント調節が行なわれる。このＴＴＬＡＦ機能とはフォーカスレンズ１１４を、被写体距離の最遠点に対応する位置から被写体距離の至近点に対応する位置まで移動させることにより変化する被写界のコントラストを、後述する信号処理部１２０のＡＦ／ＡＥ演算部１２６で検出して、そのコントラストのピークが得られる位置をピント位置としてそのフォーカスレンズ１１４をそのピント位置に調節するものである。ズームレンズ１１５は、光軸方向に移動して撮影倍率を決定する。
【００２０】
以上が撮影光学系１１０の構成についての説明である。
【００２１】
続いて信号処理部１２０の構成を説明する。撮影光学系でＣＣＤ１１１に結像させた被写体像が画像データとしてアナログ処理（Ａ／Ｄ）部１２０ａに読み出され、このアナログ処理部（Ａ／Ｄ）１２０ａでアナログ信号がデジタル信号に変換されデジタル信号処理部１２０ｂへと供給される。デジタル信号処理部１２０ｂにはシステムコントローラ１２１が配備されており、そのシステムコントローラ１２１内の動作の手順を示したプログラムにしたがってデジタル信号処理部１２０ｂ内の信号処理が行なわれる。このシステムコントローラ１２１と、画像信号処理部１２２、表示用画像処理部１２３、画像圧縮部１２４、メディアコントローラ１２５、ＡＦ／ＡＥ演算部１２６、キーコントローラ１２７、バッファメモリ１２８、内部メモリ１２９との間のデータの受け渡しはバス１２００を介して行なわれ、そのバス１２００を介してデータの受け渡しが行なわれるときのバッファとして内部メモリ１２９が働いている。この内部メモリ１２９に各部の処理プロセスの進行状況に応じて変数となるデータが随時書き込まれて、システムコントローラ１２１、および画像信号処理部１２２、表示用画像処理部１２３、画像圧縮部１２４、メディアコントローラ１２５、ＡＦ／ＡＥ演算部１２６、キーコントローラ１２７の各部では、そのデータを参照することにより適切な処理が行なわれる。つまり、システムコントローラ１２１からの指示がバス１２００を介して上記の各部に伝えられ、各部の処理プロセスが立ち上げられる。そして、その内部メモリ１２９のデータがプロセスの進行状況に応じて書き換えられ、さらにシステムコントローラ１２１側で参照されて上記の各部の動作が管理される。言い換えれば、電源が投入され、システムコントローラ１２１内のプログラムの手順にしたがって各部のプロセスが立ち上げられる。たとえば、レリーズスイッチ１５０、メニュースイッチ１６０、実行／画面切換スイッチ１７０のスイッチが操作されると、その操作されたという情報がキーコントローラ１２７を経由してシステムコントローラ１２１に伝えられ、その操作に応じた処理がシステムコントローラ１２１内のプログラムの手順にしたがって行われる。
【００２２】
以上が信号処理部１２０の構成についての説明である。
【００２３】
次に被写体像がスルー画像としてＬＣＤ１３０に表示される過程について説明する。ＣＣＤ１１１から読み出された、被写体像を表す画像データは、アナログ処理（Ａ／Ｄ）部１２０ａでアナログ信号からデジタル信号に変換され、このデジタル化された画像データがデジタル信号処理部１２０ｂ内のバッファメモリ１２８にいったん蓄えられる。そしてこのデジタル化された画像データに基づき、ＡＦ／ＡＥ演算部１２６が、被写体距離ごとのコントラストの検出や被写体輝度の検出を行う。このコントラストの検出結果に従い、フォーカスモータ１１４ａによってフォーカスレンズ１１４がピント位置に配置されてピント調節が行われ、また被写体輝度の検出の検出結果に従い、ＣＣＤ１１１に与えられる被写体光の光量が適切になるように、不図示の絞りによる絞り量や電子シャッタのシャッタのシャッタ速度によって露出光量の調節が行なわれる。そしてデジタル化された画像データのＲＧＢ信号は、画像信号処理部１２２においてＹＣ信号に変換され、さらに表示用画像処理部１２３において、後述するノイズ低減のための処理や増幅処理およびγ補正が施された後、ＹＣ信号からＲＧＢ信号に変換されてＬＣＤ１３０において画像が表示される。ここでは、このような過程を経て画像表示が例えば３０コマ／秒等のフレームレートで繰り返される。
【００２４】
次に撮影が行われて被写体像が外部記録媒体１４０に記録される過程について説明する。レリーズ操作が行われると、ＣＣＤ１１１から読み出された画像データは、アナログ処理（Ａ／Ｄ）部１２０ａでアナログ信号からデジタル信号に変換され、このデジタル化された画像データのＲＧＢ信号が画像信号処理部１２２でＹＣ信号に変換される。さらに画像圧縮部１２４でＪＰＥＧ圧縮と呼ばれる圧縮が行なわれて画像データが画像ファイルとなってメディアコントローラ１２５を介して外部記録媒体１４０に記録される。この画像ファイルとして記録された画像データは、表示用画像処理部１２３を通じてＬＣＤ１３０において再生される。
【００２５】
以下では、このデジタルカメラ１００が、視認性を高めて被写体をＬＣＤ１３０上で認識しやすくする構成について説明する。
【００２６】
図４は、本実施形態のデジタルカメラが、視認性を高めて、撮影する画像をＬＣＤ１３０上で認識しやすくする構成の概略図である。
【００２７】
図４に示す一連の処理は、図３に示すバス１２００を介して伝えられたＹＣ信号に対して表示用画像処理部１２３が行う処理である。図４に示すようにＹＣ信号が入力されると、まずローパスフィルタ１により、設定されたカットオフ周波数以上の、ノイズを多く含む高周波成分がカットされる。このカットオフ周波数は可変であり、レジスタ３を介して図３に示すシステムコントローラ１２１からの指示により変更される。さらにこのようなノイズ低減のための処理が施されたＹＣ信号は、増幅器２によって所定の信号レベルにまで増幅される。そしてこの増幅された信号にγ補正が施され、図３に示すＬＣＤ１３０上に表示される被写体が人間の目で見たときに明確に認識しやすい階調分布になるように階調補正を行ったＹＣ信号が形成される。この階調補正の際の階調特性を表すデータ、すなわちγテーブルは、レジスタ３を介して図３に示すシステムコントローラ１２１からの指示により複数種類のγテーブルから選択される。最後にこのような階調補正が施されたＹＣ信号が、Ｒ、Ｇ，Ｂの信号に変換され、これらＲ、Ｇ，Ｂの信号を組み合わせ多重化することにより、ＬＣＤ１３０上に表示されるカラーのスルー画像を表す表示用画像信号となる。
【００２８】
次にこのデジタルカメラ１００が、被写体輝度が低い場合でも、視認性を高めて、撮影する画像をＬＣＤ１３０上で認識しやすくするための動作の流れをフローチャートを用いて説明する。
【００２９】
図５は、本実施形態のデジタルカメラの動作の流れを表すフローチャートである。
【００３０】
図に示すステップＳ１〜ステップＳ４は、図３に示すＡＦ／ＡＥ演算部１２６の行う処理であり、まずこの処理について説明する。デジタル化された画像データのＲＧＢ信号がＡＦ／ＡＥ演算部１２６に入力されると、このＲＧＢ信号から、輝度がＣＣＤ１１１の画素ごとに評価され、この評価値について積算が行われる（ステップＳ１）。所定領域の画素について積算が終了するまでこの積算処理を行い（ステップＳ２；Ｎｏ）、積算処理が終了すれば、ステップＳ２でＹｅｓが選択され、積算した結果から被写体輝度が算出される（ステップＳ３）。この被写体輝度に基づいて、図４に示す増幅器２によって画像信号を所定の信号レベルにまで増幅するのに必要なゲイン値や、絞りによって調節される光量として絞り量が決定され（ステップＳ４）、ＡＦ／ＡＥ演算部１２６が行う処理が終了する。
【００３１】
以上が、ＡＦ／ＡＥ演算部１２６が行う処理の説明である。次にステップＳ３において算出された被写体輝度に基づいて、図４に示すフィルタ１のカットオフ周波数やγが調節される動作の流れを説明する。
【００３２】
まず、図３に示すシステムコントローラ１２１が、算出された被写体輝度が所定の輝度レベル以上か、所定の輝度レベル未満かを判定し、この結果からカットオフ周波数を変更する必要があるか否かを判定する（ステップＳ５）。カットオフ周波数を変更する必要があると判定された場合は、カットオフ周波数を変更し（ステップＳ６）、カットオフ周波数を変更する必要はないと判定された場合は、現在のカットオフ周波数、すなわちステップＳ５の判定前のカットオフ周波数を設定値として維持する。例えば、算出された被写体輝度が被写体の輝度が所定の輝度レベル未満であってカットオフ周波数を現在の値よりもっと低い値に変更する必要がある場合は、カットオフ周波数がもっと低い値に設定し直され、ノイズ低減のためにカットする周波数領域が拡大される。
【００３３】
このように被写体輝度が低く撮影する被写体がＬＣＤ上で認識しにくい状況では、相対的に被写体輝度が高い状況で行われる処理と比較して、ノイズの小さい画像信号に絞って所定の信号レベルにまで増幅する処理を行うことになり、特許文献１および特許文献１記載の方法のように色信号のレベルを下げることなく、視認性が向上する効果をより大きくすることができる。
【００３４】
次に、カットオフ周波数の変更方法と同様に、算出された被写体輝度についての判定結果から、γテーブルの変更が必要かどうかが判定される（ステップＳ７）。γテーブルの変更が必要であると判定された場合、算出された被写体輝度に適したγテーブルに変更され（ステップＳ８）、γテーブルの変更が必要ないと判定された場合は、現在のγテーブル、すなわちステップＳ７の判定前のγテーブルが維持される。例えば、算出された被写体輝度が被写体の輝度が所定の輝度レベル未満であって、現在のγテーブルを変更する必要がある場合は、現在のγテーブルよりもγの大きいγテーブルに設定し直される。
【００３５】
このように、被写体輝度が低く撮影する被写体がＬＣＤ上で認識しにくい状況では、相対的に被写体輝度が高い状況よりも大きな階調補正を行うことで、被写体輝度が低い時のＬＣＤ上での視認性を向上させることができる。
【００３６】
以上が本実施形態の撮影装置の説明である。
【００３７】
本実施形態の撮影装置では、γ補正を変更する方法として複数種類のγテーブルから算出された被写体輝度に適したγテーブルに変更する方法を採用したが、本発明の撮影装置は、ルックアップテーブルを用意しておいて、そのルックアップテーブル中のデータを変更する方式を用いてもよい。
【図面の簡単な説明】
【００３８】
【図１】本発明の撮影装置の一実施形態であるデジタルカメラを前面斜め上から見た外観斜視図である。
【図２】本発明の撮影装置の一実施形態であるデジタルカメラを背面斜め上から見た外観斜視図である。
【図３】図１および図２に外観を示すデジタルカメラの概略構成図である。
【図４】本実施形態のデジタルカメラが、視認性を高めて、撮影する画像をＬＣＤ１３０上で認識しやすくする機構の概略図である。
【図５】本実施形態のデジタルカメラの動作の流れを表すフローチャートである。
【符号の説明】
【００３９】
１  ローパスフィルタ
２  増幅器
３  レジスタ
１００  デジタルカメラ
１０１  撮影レンズ
１０２  光学式ファインダ対物窓
１０３  補助光発光部
１０４  電源スイッチ
１０６  光学式ファインダ接眼窓
１１０  撮影光学系
１１１  ＣＣＤ
１１２  シャッタ
１１２ａ  シャッタモータ
１１４  フォーカスレンズ
１１４ａ  フォーカスモータ
１１５  ズームレンズ
１１５ａ  ズームモータ
１１６  シャッタ
１１６ａ  シャッタコントローラ
１２０  信号処理部
１２０ａ  アナログ処理（Ａ／Ｄ）部
１２０ｂ  デジタル信号処理部
１２０ｃ  モ−タドライバ
１２１  システムコントローラ
１２２  画像信号処理部
１２３  表示用画像処理部
１２４  画像圧縮部
１２５  メディアコントローラ
１２６  ＡＦ／ＡＥ演算部
１２７  キーコントローラ
１２８  バッファメモリ
１２９  内部メモリ
１２００  バス
１３０  ＬＣＤ
１４０  外部記録媒体
１５０  レリーズスイッチ
１６０  メニュースイッチ
１７０  実行／画面切換スイッチ
【図１】
2006101151.tif 000003
【図２】
2006101151.tif 000004
【図３】
2006101151.tif 000005
【図４】
2006101151.tif 000006
【図５】
2006101151.tif 000007